(57)【要約】【課題】障害物によって着脱式光源の着脱が阻害されないようにする。【解決手段】液晶表示装置１０は、画像を表示する液晶パネル１１と、着脱式ＬＥＤユニット２１と、一側面に着脱式ＬＥＤユニット２１の着脱を許容する着脱口１８Ｂ１を選択的に有していて着脱式ＬＥＤユニット２１が発した光を液晶パネル１１に照射するバックライト装置１２と、着脱口１８Ｂ１が着脱式ＬＥＤユニット２１の着脱方向について一方側を向いた第１姿勢と、着脱口１８Ｂ１が着脱方向について他方側を向くよう第１姿勢に対して反転する第２姿勢と、の双方で液晶パネル１１に表示される画像における着脱方向と直交する着脱直交方向についての向きが同一となるよう液晶パネル１１の駆動を制御する表示制御部２９と、を備える。【選択図】図６
2019174715.tif 000002
【特許請求の範囲】
【請求項１】
画像を表示する表示パネルと、
着脱式光源と、
一側面に前記着脱式光源の着脱を許容する着脱口を選択的に有していて前記着脱式光源が発した光を前記表示パネルに照射する照明装置と、
前記着脱口が前記着脱式光源の着脱方向について一方側を向いた第１姿勢と、前記着脱口が前記着脱方向について他方側を向くよう前記第１姿勢に対して反転する第２姿勢と、の双方で前記表示パネルに表示される画像における前記着脱方向と直交する着脱直交方向についての向きが同一となるよう前記表示パネルの駆動を制御する表示制御部と、を備える表示装置。
【請求項２】
前記表示パネルの端部に接続されて前記照明装置のうちの前記着脱口が非形成とされる側面に対して重畳するよう配されるフレキシブル基板を備える請求項１記載の表示装置。
【請求項３】
前記着脱口を閉塞する着脱口カバーを備える請求項１または請求項２記載の表示装置。
【請求項４】
請求項１から請求項３のいずれか１項に記載の表示装置を前記着脱方向について隣り合う形で連結してなる連結表示装置であって、
前記着脱方向について隣り合う前記表示装置は、一方側が前記第１姿勢とされるのに対し、他方側が前記第２姿勢とされていて、互いの前記着脱口が外向きに開口するよう配される連結表示装置。
【請求項５】
前記着脱方向について隣り合う前記表示装置は、同一とされる請求項４記載の連結表示装置。
【発明の詳細な説明】
【技術分野】
【０００１】
本発明は、表示装置及び連結表示装置に関する。
【背景技術】
【０００２】
従来、多画面型の表示装置の一例として下記特許文献１に記載されたものが知られている。この特許文献１に記載された多画面表示装置は、画像を表示する表示部と表示部の外周を囲む枠部とを備えた表示装置を複数用い、夫々の表示装置の枠部同士を互いに近接させてなり、枠部の外周面には、外周面より表示部側に向け窪む凹部と、外周面より表示部側の反対側に向け突出する凸部と、が設けられ、互いに近接する表示装置の夫々の凹部と凸部とが互いに嵌合する構成とされることを特徴とする。
【先行技術文献】
【特許文献】
【０００３】
【特許文献１】特開２００９−２９４５７４号公報
【発明の概要】
【発明が解決しようとする課題】
【０００４】
上記した特許文献１に記載されたような多画面表示装置において、個々の表示装置として液晶表示装置を用いる場合がある。一般的な液晶表示装置は、液晶パネルと、液晶パネルに対して表示のための光を照射するバックライト装置と、を備える。このうちのバックライト装置は、光源が着脱式とされる場合があり、その場合は光源の着脱を許容するための着脱口を備えることになる。ところが、液晶表示装置の設置状況によっては障害物（連結された液晶表示装置を含む）によって着脱口が塞がれてしまい、光源の着脱が困難になるおそれがあった。
【０００５】
本発明は上記のような事情に基づいて完成されたものであって、障害物によって着脱式光源の着脱が阻害されないようにすることを目的とする。
【課題を解決するための手段】
【０００６】
本発明の表示装置は、画像を表示する表示パネルと、着脱式光源と、一側面に前記着脱式光源の着脱を許容する着脱口を選択的に有していて前記着脱式光源が発した光を前記表示パネルに照射する照明装置と、前記着脱口が前記着脱式光源の着脱方向について一方側を向いた第１姿勢と、前記着脱口が前記着脱方向について他方側を向くよう前記第１姿勢に対して反転する第２姿勢と、の双方で前記表示パネルに表示される画像における前記着脱方向と直交する着脱直交方向についての向きが同一となるよう前記表示パネルの駆動を制御する表示制御部と、を備える。
【０００７】
このようにすれば、照明装置は、着脱式光源から発せられた光を表示パネルに照射することができ、その照射された光を利用して表示パネルに画像が表示される。着脱式光源は、照明装置に対して着脱口を通して着脱することができるので、着脱式光源の交換を行うことが可能となっている。この着脱口は、照明装置における一側面に選択的に有されているから、仮に照明装置における一対の側面に着脱口を設けた場合に比べると、着脱口からの光漏れや外部の塵埃が着脱口を通して内部に侵入する、などの事態が生じ難くなる。
【０００８】
ここで、当該表示装置は、第１姿勢では照明装置の着脱口が着脱式光源の着脱方向について一方側を向くものの、第１姿勢に対して反転する第２姿勢では照明装置の着脱口が着脱方向について他方側を向く。従って、例えば当該表示装置が第１姿勢とされたときに着脱口が障害物によって塞がれるような場合には、当該表示装置を第２姿勢とすることで着脱口が障害物によって塞がれるのを避けることができる。これにより、障害物によって着脱式光源の着脱が阻害されないので、着脱式光源の交換作業を容易に行うことができる。その上で、表示制御部は、第１姿勢及び第２姿勢のいずれであっても表示パネルに表示される画像における着脱直交方向についての向きが同一となるよう表示パネルの駆動を制御するから、着脱式光源の交換作業の容易性を担保しつつ適切な画像の表示を行うことができる。
【発明の効果】
【０００９】
本発明によれば、障害物によって着脱式光源の着脱が阻害されないようにすることができる。
【図面の簡単な説明】
【００１０】
【図１】本発明の実施形態１に係る液晶表示装置の平面図であって、着脱式ＬＥＤユニットが着脱される途中の状態を示す平面図
【図２】液晶表示装置を短辺方向に沿って切断した断面図
【図３】液晶表示装置の背面図
【図４】着脱式ＬＥＤユニット及び着脱口カバーを取り外した状態の液晶表示装置の側面図
【図５】液晶表示装置の電気的構成を表すブロック図
【図６】連結液晶表示装置の平面図であって、着脱式ＬＥＤユニットが着脱される途中の状態を示す平面図
【図７】連結液晶表示装置の背面図
【発明を実施するための形態】
【００１１】
＜実施形態１＞
本発明の実施形態１を図１から図７によって説明する。本実施形態では、液晶表示装置（表示装置）１０及びそれを用いた連結液晶表示装置（連結表示装置）５０について例示する。なお、各図面の一部にはＸ軸、Ｙ軸及びＺ軸を示しており、各軸方向が各図面で示した方向となるように描かれている。また、図２に示す上側を表側とし、同図下側を裏側とする。
【００１２】
先に液晶表示装置１０について説明する。液晶表示装置１０は、図１に示すように、全体として横長の略方形状をなしている。液晶表示装置１０は、図２に示すように、画像を表示する液晶パネル（表示パネル）１１と、液晶パネル１１に表示のための光を供給するバックライト装置（照明装置）１２と、を備え、これらが枠状のベゼル１３などにより一体的に保持される。さらには、液晶表示装置１０は、液晶パネル１１及びバックライト装置１２の駆動を制御するためのコントロール基板（制御基板）１４を備える。
【００１３】
液晶パネル１１は、図２に示すように、一対のガラス基板が所定のギャップを隔てた状態で貼り合わせられるとともに、両ガラス基板間に電界印加に伴って光学特性が変化する物質である液晶分子を含む液晶層（図示せず）が封入された構成とされる。一方のガラス基板（アレイ基板、アクティブマトリクス基板）の内面側には、互いに直交するソース配線とゲート配線とに接続されたスイッチング素子（例えばＴＦＴ）と、ソース配線とゲート配線とに囲まれた方形状の領域に配されてスイッチング素子に接続される画素電極と、がマトリクス状に平面配置される他、配向膜等が設けられている。他方のガラス基板（対向基板、ＣＦ基板）の内面側には、Ｒ（赤色），Ｇ（緑色），Ｂ（青色）等の各着色部が所定配列でマトリクス状に平面配置されたカラーフィルタが設けられる他、各着色部間に配されて格子状をなす遮光層（ブラックマトリクス）、画素電極と対向状をなすベタ状の対向電極、配向膜等が設けられている。なお、両ガラス基板の外面側には、それぞれ偏光板が配されている。また、液晶パネル１１における長辺方向がＸ軸方向と一致し、短辺方向がＹ軸方向と一致し、さらに厚さ方向がＺ軸方向と一致している。
【００１４】
液晶パネル１１における端部には、図２及び図３に示すように、複数のパネル用フレキシブル基板（フレキシブル基板）１５の一端側が接続されている。パネル用フレキシブル基板１５には、図示しないドライバがＣＯＦ（Chip On Film）実装されており、このドライバは、内部に駆動回路を有するＬＳＩチップからなる。パネル用フレキシブル基板１５の他端側には、コントロール基板１４が接続されている。コントロール基板１４は、バックライト装置１２の裏側に配されている。従って、液晶パネル１１とコントロール基板１４とに接続されるパネル用フレキシブル基板１５は、折り返し状に屈曲（湾曲）されている。パネル用フレキシブル基板１５は、絶縁性及び可撓性を有する合成樹脂材料（例えばポリイミド系樹脂等）からなる基材を備え、その基材上に多数本の配線パターン（図示せず）を有している。コントロール基板１４は、パネル用フレキシブル基板１５に比べると高い剛性を有する（リジッドな）基材を備え、その基材の板面上に各種電子部品などが実装されている。上記したパネル用フレキシブル基板１５は、液晶パネル１１及びコントロール基板１４の双方に接続される「パネル接続部品」である。
【００１５】
バックライト装置１２は、図２に示すように、表側（液晶パネル１１側）に向けて開口する略箱型をなすシャーシ（筐体）１８と、シャーシ１８の開口を覆う形で配される光学部材（光学シート）１９と、光学部材１９を表側から支持するフレーム２０と、を備える。さらに、シャーシ１８内には、着脱式ＬＥＤユニット（着脱式光源）２１と、着脱式ＬＥＤユニット２１からの光を導光して光学部材１９（液晶パネル１１）へと導く導光板２２と、導光板２２の裏側に配置される反射シート２３と、が備えられる。そして、このバックライト装置１２は、その短辺方向（Ｙ軸方向）についての片方の端部に着脱式ＬＥＤユニット２１が配されており、着脱式ＬＥＤユニット２１からの光が導光板２２に対して片側から入光される片側入光タイプのエッジライト型（サイドライト型）とされる。続いて、バックライト装置１２の各構成部品について詳しく説明する。
【００１６】
シャーシ１８は、金属製とされ、図２及び図３に示すように、液晶パネル１１と同様に横長の略方形状をなす底部１８Ａと、底部１８Ａの各辺の外端からそれぞれ立ち上がる側部１８Ｂと、からなる。底部１８Ａは、その長辺方向がＸ軸方向（水平方向）と一致し、短辺方向がＹ軸方向（鉛直方向）と一致している。底部１８Ａのうち、着脱式ＬＥＤユニット２１と平面に視て重畳する部分は、他の部分よりも一段低くなる段部１８Ａ１を有しており、この段部１８Ａ１によって着脱式ＬＥＤユニット２１の着脱動作を案内することが可能とされる。４つの側部１８Ｂのうち、一方の長辺側の側部１８Ｂは、上記した段部１８Ａ１との間で着脱式ＬＥＤユニット２１を挟み込む形で保持することが可能とされる。そして、４つの側部１８Ｂのうち、一方の短辺側の側部１８Ｂには、図４に示すように、着脱式ＬＥＤユニット２１の着脱を許容するための着脱口１８Ｂ１が開口形成されている。なお、ベゼル１３のうち、着脱口１８Ｂ１と重畳する部分には、着脱口１８Ｂ１に連通する連通口（切り欠き）１３Ａが開口形成されている。また、図４では、着脱式ＬＥＤユニット２１を二点鎖線により図示している。着脱口１８Ｂ１は、バックライト装置１２における一対の短辺側の側面のうちの一方の側面のみに選択的に設けられており、Ｘ軸方向についての一方側に開口している。このように着脱口１８Ｂ１がバックライト装置１２における一側面に選択的に有されているから、仮にバックライト装置１２における一対の側面に着脱口１８Ｂ１を設けた場合に比べると、着脱口１８Ｂ１からの光漏れや外部の塵埃が着脱口１８Ｂ１を通して内部に侵入する、などの事態が生じ難くなる。従って、着脱式ＬＥＤユニット２１は、着脱口１８Ｂ１を通してＸ軸方向に沿って着脱されるようになっており、着脱方向がＸ軸方向と一致している。これにより、着脱式ＬＥＤユニット２１が故障した場合やより高性能（高輝度、低消費電力）な着脱式ＬＥＤユニット２１が開発された場合などにおいて、着脱式ＬＥＤユニット２１の交換を行うことが可能となっている。なお、各図面に示すＹ軸方向は、着脱方向と直交する着脱直交方向である。この着脱口１８Ｂ１は、図１に示すように、着脱口カバー２７によって閉塞されるようになっている。着脱口カバー２７は、合成樹脂製とされており、バックライト装置１２に対して取り付け可能とされる。また、仮にバックライト装置１２における一対の側面に着脱口１８Ｂ１を設けた場合に着脱口カバーが２つ必要になるのに比べると、着脱口カバー２７の設置数を削減することができ、低コスト化を図る上で好適となる。また、各側部１８Ｂには、フレーム２０及びベゼル１３が固定可能とされる。
【００１７】
光学部材１９は、図２に示すように、シャーシ１８の開口を覆うとともに、液晶パネル１１と導光板２２との間に介在する形で配されることで、導光板２２からの出射光を透過するとともにその透過光に所定の光学作用を付与しつつ液晶パネル１１に向けて出射させる。光学部材１９は、複数枚（本実施形態では４枚）が備えられ、その具体的な種類としては、例えば拡散シート、レンズシート（プリズムシート）、反射型偏光シート、レンズ拡散板などがあり、これらの中から適宜に選択して使用することが可能である。フレーム２０は、横長の枠状をなしており、光学部材１９及び導光板２２の外周縁部をほぼ全周にわたって表側から押さえて支持するとともに、液晶パネル１１の外周縁部をほぼ全周にわたって裏側から受けて支持する。
【００１８】
着脱式ＬＥＤユニット２１は、図１に示すように、Ｘ軸方向に沿って延在する細長い棒状をなしている。着脱式ＬＥＤユニット２１は、図２に示すように、光源であるＬＥＤ（Light Emitting Diode：発光ダイオード）２４と、ＬＥＤ２４が実装されるＬＥＤ基板（光源基板）２５と、ＬＥＤ基板２５が取り付けられるＬＥＤ基板取付部材（光源基板取付部材）２６と、からなる。このうちのＬＥＤ２４は、ＬＥＤ基板２５に固着される基板部上にＬＥＤチップを封止材により封止した構成とされる。ＬＥＤ２４は、ＬＥＤチップが例えば青色光を単色発光するものとされ、封止材に蛍光体（黄色蛍光体、緑色蛍光体、赤色蛍光体など）が分散配合されることで全体として白色光を発する。ＬＥＤ２４は、自身の発光面２４Ａとは反対側の面が次述するＬＥＤ基板２５に実装されており、いわゆる上面発光型とされる。
【００１９】
ＬＥＤ基板２５は、図２に示すように、Ｘ軸方向（着脱方向）に沿って延在する板状をなしており、その板面がＸ軸方向及びＺ軸方向に並行する姿勢でシャーシ１８内に収容される。ＬＥＤ基板２５は、複数のＬＥＤ２４が実装される実装面が次述する導光板２２の端面（入光端面２２Ａ）と対向する形で配されるとともに、ＬＥＤ２４の実装面とは反対側の板面がＬＥＤ基板取付部材２６に接する形で取り付けられている。ＬＥＤ基板２５におけるＬＥＤ２４の実装面には、金属膜（銅箔など）からなり、各ＬＥＤ２４の端子などに接続される配線パターン（図示せず）が形成されている。ＬＥＤ２４は、ＬＥＤ基板２５における実装面においてＸ軸方向に沿って複数が間隔を空けて並んで配されている。ＬＥＤ基板２５には、図示しない給電用コネクタが設けられており、この給電用コネクタにバックライト用フレキシブルフラットケーブル（光源給電部品）２８の一端側が接続されている。バックライト用フレキシブルフラットケーブル２８は、その他端側がシャーシ１８の外部に引き出されるとともにコントロール基板１４に接続されている（図３を参照）。バックライト用フレキシブルフラットケーブル２８は、互いに並行する複数の配線部を絶縁性及び可撓性を有する合成樹脂製のフィルムにより挟み込んだ構成とされる。ＬＥＤ基板取付部材２６は、ＬＥＤ基板２５と同様にＸ軸方向に沿って延在するレール状をなしており、その断面形状がシャーシ１８の断面形状に倣ったものとなっている。詳しくは、ＬＥＤ基板取付部材２６は、ＬＥＤ基板２５の板面が当接される板面当接部２６Ａと、ＬＥＤ基板２５の端面が当接される端面当接部２６Ｂと、端面当接部２６Ｂにおける板面当接部２６Ａ側とは反対側の端部から突出してＬＥＤ基板２５との間に間隔を空けて配される突部２６Ｃと、を有してなる。このうち板面当接部２６Ａの外面がシャーシ１８の側部１８Ｂに、端面当接部２６Ｂ及び突部２６Ｃの外面がシャーシ１８の底部１８Ａに、それぞれ当接されることで、シャーシ１８に対する着脱式ＬＥＤユニット２１の着脱動作（スライド動作）をガイドすることが可能とされる。
【００２０】
導光板２２は、ほぼ透明な合成樹脂材料（例えばＰＭＭＡなどのアクリル樹脂やポリカーボネートなど）とされ、屈折率が空気よりも十分に高くなっている。導光板２２は、図２に示すように、液晶パネル１１などと同様に横長の板状をなしていてシャーシ１８によりその周りが取り囲まれた形で収容されるとともに、液晶パネル１１及び光学部材１９の直下位置に配されている。導光板２２は、その外周端面のうち一方（図２に示す左側）の長辺側の端面が、ＬＥＤ２４と対向状をなしていてＬＥＤ２４からの光が入射される入光端面（光源対向端面）２２Ａとされる。導光板２２は、表裏一対の板面のうち、表側（液晶パネル１１側）を向いた板面が、光を液晶パネル１１に向けて出射させる出光板面２２Ｂとされ、裏側を向いた板面が出光板面２２Ｂとは反対側の出光反対板面２２Ｃとされる。このような構成により、導光板２２は、ＬＥＤ２４からＹ軸方向に沿って発せられた光を入光端面２２Ａから導入するとともに、その光を内部で伝播させた後にＺ軸方向に沿って立ち上げて出光板面２２Ｂから光学部材１９側（表側、光出射側）へ向けて出射させる機能を有している。
【００２１】
反射シート２３は、図２に示すように、導光板２２の出光反対板面２２Ｃを覆う形で配される。反射シート２３は、光反射性に優れており、導光板２２の出光反対板面２２Ｃから漏れた光を表側（出光板面２２Ｂ側）に向けて効率的に立ち上げることができる。
【００２２】
本実施形態に係る液晶表示装置１０は、図５に示すように、液晶パネル１１の駆動を制御するための表示制御部（表示パネル制御部）２９と、バックライト装置１２に備わるＬＥＤ２４の駆動を制御するためのＬＥＤ制御部（光源制御部）３０と、を少なくとも有している。表示制御部２９は、映像信号を処理する映像信号処理回路部と、映像信号処理回路部からの出力信号に基づいて各画素を駆動する画素駆動部と、を有しており、コントロール基板１４に設けられている。ＬＥＤ制御部３０は、ＬＥＤ２４を駆動するＬＥＤ駆動部を有しており、コントロール基板１４に設けられている。コントロール基板１４には、表示制御部２９及びＬＥＤ制御部３０の動作をそれぞれ制御するＣＰＵ３１が設けられている。
【００２３】
コントロール基板１４には、図２及び図３に示すように、一端側が外部のパネル用信号供給源に接続されたフレキシブル基板（パネル用信号供給源共々図示せず）の他端側に設けられたコネクタが接続されて映像信号の供給を受けるパネル用入力コネクタ３２と、一端側が外部のバックライト用信号供給源に接続されたフレキシブル基板（バックライト用信号供給源共々図示せず）の他端側に設けられたコネクタが接続されてバックライト信号の供給を受けるバックライト用入力コネクタ３３と、一端側がＬＥＤ基板２５の給電用コネクタに接続されたバックライト用フレキシブルフラットケーブル２８の他端側が接続されるバックライト用出力コネクタ３４と、が設けられている。外部のパネル用信号供給源は、元の映像信号をコントロール基板１４のパネル用入力コネクタ３２に供給するものであり、コントロール基板１４では供給された元の映像信号が処理され、処理された画像信号に基づいて液晶パネル１１に画像が表示される。外部のバックライト用信号供給源は、元のバックライト信号をコントロール基板１４のバックライト用入力コネクタ３３に供給するものであり、コントロール基板１４では供給された元のバックライト信号が処理され、処理されたＬＥＤ駆動信号に基づいてＬＥＤ２４が駆動される。
なお、外部のパネル用信号供給源とパネル用入力コネクタ３２及びバックライト用入力コネクタ３３との接続は、ディスクリートワイヤやフラットケーブル等の電線で行ってもよい。
【００２４】
続いて、連結液晶表示装置５０について説明する。連結液晶表示装置５０は、図６及び図７に示すように、２つの液晶表示装置１０をＸ軸方向について隣り合う形で並べた上で相互に連結した構成とされる。このようにすれば、２つの液晶表示装置１０によって横長の画像を表示する上で好適となる。この連結液晶表示装置５０の具体的な用途としては、例えば電車の乗降口周りに設置されるデジタルサイネージなどに好適であり、表示する画像としては電車の路線図や広告などが好適である。なお、本実施形態では、隣り合う液晶表示装置１０同士を連結するための具体的な連結構造に関しては図示などを省略している。
【００２５】
そして、本実施形態に係る液晶表示装置１０は、図６に示すように、バックライト装置１２の着脱口１８Ｂ１がＸ軸方向（着脱式ＬＥＤユニット２１の着脱方向）について一方側を向いた第１姿勢と、着脱口１８Ｂ１がＸ軸方向について他方側を向くよう第１姿勢に対して反転する第２姿勢と、のいずれかの姿勢で設置される。なお、本実施形態では、図６に示す右側（図７に示す左側）の液晶表示装置１０を第１姿勢とし、図６に示す左側（図７に示す右側）の液晶表示装置１０を第２姿勢とする。従って、例えば液晶表示装置１０が第１姿勢とされたときに着脱口１８Ｂ１が障害物（図６に示す右側の液晶表示装置１０）によって塞がれる場合には、液晶表示装置１０を第１姿勢に対して反転した第２姿勢とすることで着脱口１８Ｂ１が障害物によって塞がれるのを避けることができる。なお、液晶表示装置１０が第２姿勢とされたときに着脱口１８Ｂ１が障害物（図６に示す左側の液晶表示装置１０）によって塞がれる場合は、液晶表示装置１０を第２姿勢に対して反転した第１姿勢とすればよい。具体的には、連結液晶表示装置５０を構成する２つの液晶表示装置１０は、互いの着脱口１８Ｂ１がＸ軸方向について外向きに開口するよう互いに反転した姿勢に配されているので、それぞれの着脱口１８Ｂ１が隣り合う液晶表示装置１０によって閉塞されることが避けられ、もって各着脱口１８Ｂ１に対する各着脱式ＬＥＤユニット２１の着脱が許容されている。以上のように、障害物（隣り合う液晶表示装置１０）によって着脱式ＬＥＤユニット２１の着脱が阻害されないので、着脱式ＬＥＤユニット２１の交換作業を容易に行うことができる。これに対し、表示制御部２９は、第１姿勢と第２姿勢との双方で液晶パネル１１に表示される画像におけるＹ軸方向（着脱方向と直交する着脱直交方向）についての向きが同一となるよう液晶パネル１１の駆動を制御する。このようにすれば、着脱式ＬＥＤユニット２１の交換作業の容易性を担保しつつ液晶パネル１１に適切な画像を表示させることができる。しかも、Ｘ軸方向について隣り合う液晶表示装置１０は、同一とされる。このようにすれば、仮にＸ軸方向について隣り合う液晶表示装置を異ならせた場合に比べると、液晶表示装置１０の製造コストを低廉化させることができる。
【００２６】
具体的には、表示制御部２９は、外部のパネル用信号供給源から供給される映像信号に基づいて、図７に示される第１姿勢での表示のための第１表示信号と、第２姿勢での表示のための第２表示信号と、を選択的に出力することが可能とされる。より詳しくは、外部のパネル用信号供給源から出力される映像信号には、第１表示トリガー信号と第２表示トリガー信号とのうちのいずれかが含まれており、第１表示トリガー信号が含まれていた場合には表示制御部２９は第１表示信号を出力し、第２表示トリガー信号が含まれていた場合には表示制御部２９は第２表示信号を出力する。なお、第１表示トリガー信号及び第２表示トリガー信号は、パネル用入力コネクタ３２に備わる同一端子に対して供給されるようになっており、第１表示トリガー信号及び第２表示トリガー信号のうちの一方が高い電圧値の信号とされ、他方が低い電圧値の信号とされる。外部のパネル用信号供給源が第１表示トリガー信号と第２表示トリガー信号とのうちのどちらを出力するかに関しては、設置された液晶表示装置１０の姿勢に基づいて外部のパネル用信号供給源の設定を調整することで制御することが可能とされる。従って、第１姿勢とされる図７に示す左側の液晶表示装置１０に関しては、外部のパネル用信号供給源から出力される映像信号に第１表示トリガー信号を含ませるようにすれば、表示制御部２９からは第１表示信号が出力されてパネル用フレキシブル基板１５を介して液晶パネル１１に供給される。これにより、第１姿勢とされた液晶表示装置１０の液晶パネル１１には、第１表示信号によりＹ軸方向について適切な向きの画像が表示される。一方、第２姿勢とされる図７に示す右側の液晶表示装置１０に関しては、外部のパネル用信号供給源から出力される映像信号に第２表示トリガー信号を含ませるようにすれば、表示制御部２９からは第２表示信号が出力されてパネル用フレキシブル基板１５を介して液晶パネル１１に供給される。これにより、第２姿勢とされた液晶表示装置１０の液晶パネル１１には、第２表示信号によりＹ軸方向について適切な向きの画像が表示される。このように、液晶表示装置１０の姿勢に応じて外部のパネル用信号供給源から出力される映像信号に第１表示トリガー信号と第２表示トリガー信号とのいずれを含ませるかを調整することで、液晶パネル１１に表示される画像におけるＹ軸方向について向きを適正化することができる。
【００２７】
次に、バックライト装置１２における着脱口１８Ｂ１と、パネル用フレキシブル基板１５と、の位置関係について説明する。パネル用フレキシブル基板１５は、図２及び図３に示すように、バックライト装置１２における４辺の側面のうちの着脱式ＬＥＤユニット２１側とは反対側に位置する長辺側の側面に対して重畳するよう配されている。つまり、パネル用フレキシブル基板１５は、バックライト装置１２における４辺の側面のうちの着脱口１８Ｂ１が非形成とされる側面に対して重畳するよう配されている。このようにすれば、バックライト装置１２の着脱口１８Ｂ１に対して着脱式ＬＥＤユニット２１を着脱する際に、着脱式ＬＥＤユニット２１がパネル用フレキシブル基板１５に干渉する事態を回避することができる。これにより、パネル用フレキシブル基板１５が着脱式ＬＥＤユニット２１の着脱に伴って損傷を受けるのを避けることができる。
【００２８】
以上説明したように本実施形態の液晶表示装置（表示装置）１０は、画像を表示する液晶パネル（表示パネル）１１と、着脱式ＬＥＤユニット（着脱式光源）２１と、一側面に着脱式ＬＥＤユニット２１の着脱を許容する着脱口１８Ｂ１を選択的に有していて着脱式ＬＥＤユニット２１が発した光を液晶パネル１１に照射するバックライト装置（照明装置）１２と、着脱口１８Ｂ１が着脱式ＬＥＤユニット２１の着脱方向について一方側を向いた第１姿勢と、着脱口１８Ｂ１が着脱方向について他方側を向くよう第１姿勢に対して反転する第２姿勢と、の双方で液晶パネル１１に表示される画像における着脱方向と直交する着脱直交方向についての向きが同一となるよう液晶パネル１１の駆動を制御する表示制御部２９と、を備える。
【００２９】
このようにすれば、バックライト装置１２は、着脱式ＬＥＤユニット２１から発せられた光を液晶パネル１１に照射することができ、その照射された光を利用して液晶パネル１１に画像が表示される。着脱式ＬＥＤユニット２１は、バックライト装置１２に対して着脱口１８Ｂ１を通して着脱することができるので、着脱式ＬＥＤユニット２１の交換を行うことが可能となっている。この着脱口１８Ｂ１は、バックライト装置１２における一側面に選択的に有されているから、仮にバックライト装置における一対の側面に着脱口１８Ｂ１を設けた場合に比べると、着脱口１８Ｂ１からの光漏れや外部の塵埃が着脱口１８Ｂ１を通して内部に侵入する、などの事態が生じ難くなる。
【００３０】
ここで、当該液晶表示装置１０は、第１姿勢ではバックライト装置１２の着脱口１８Ｂ１が着脱式ＬＥＤユニット２１の着脱方向について一方側を向くものの、第１姿勢に対して反転する第２姿勢ではバックライト装置１２の着脱口１８Ｂ１が着脱方向について他方側を向く。従って、例えば当該液晶表示装置１０が第１姿勢とされたときに着脱口１８Ｂ１が障害物によって塞がれるような場合には、当該液晶表示装置１０を第２姿勢とすることで着脱口１８Ｂ１が障害物によって塞がれるのを避けることができる。これにより、障害物によって着脱式ＬＥＤユニット２１の着脱が阻害されないので、着脱式ＬＥＤユニット２１の交換作業を容易に行うことができる。その上で、表示制御部２９は、第１姿勢及び第２姿勢のいずれであっても液晶パネル１１に表示される画像における着脱直交方向についての向きが同一となるよう液晶パネル１１の駆動を制御するから、着脱式ＬＥＤユニット２１の交換作業の容易性を担保しつつ適切な画像の表示を行うことができる。
【００３１】
また、液晶パネル１１の端部に接続されてバックライト装置１２のうちの着脱口１８Ｂ１が非形成とされる側面に対して重畳するよう配されるパネル用フレキシブル基板（フレキシブル基板）１５を備える。このようにすれば、着脱式ＬＥＤユニット２１は、パネル用フレキシブル基板１５とは非重畳の配置となるので、バックライト装置１２に対して着脱式ＬＥＤユニット２１を着脱する際に、着脱式ＬＥＤユニット２１がパネル用フレキシブル基板１５に干渉する事態を回避することができる。これにより、パネル用フレキシブル基板１５が着脱式ＬＥＤユニット２１の着脱に伴って損傷を受けるのを避けることができる。
【００３２】
また、着脱口１８Ｂ１を閉塞する着脱口カバー２７を備える。このようにすれば、仮にバックライト装置における一対の側面に着脱口１８Ｂ１を設けた場合に比べると、着脱口カバー２７が１つで済むので低コストとなる。
【００３３】
また、本実施形態に係る連結液晶表示装置５０は、上記記載の液晶表示装置１０を着脱方向について隣り合う形で連結してなり、着脱方向について隣り合う液晶表示装置１０は、一方側が第１姿勢とされるのに対し、他方側が第２姿勢とされていて、互いの着脱口１８Ｂ１が外向きに開口するよう配される。液晶表示装置１０を着脱方向について隣り合う形で連結すると、液晶表示装置１０の着脱口１８Ｂ１が隣り合う液晶表示装置１０によって塞がれる可能性がある。その点、着脱方向について隣り合う液晶表示装置１０の一方側を第１姿勢とし、他方側を第２姿勢として、互いの着脱口１８Ｂ１が外向きに開口するよう配することで、それぞれの着脱口１８Ｂ１に対する着脱式ＬＥＤユニット２１の着脱が許容される。
【００３４】
また、着脱方向について隣り合う液晶表示装置１０は、同一とされる。このようにすれば、仮に着脱方向について隣り合う液晶表示装置を異ならせた場合に比べると、液晶表示装置１０の製造コストを低廉化させることができる。
【００３５】
＜他の実施形態＞
本発明は上記記述及び図面によって説明した実施形態に限定されるものではなく、例えば次のような実施形態も本発明の技術的範囲に含まれる。
（１）上記した実施形態では、コントロール基板にパネル用入力コネクタ及びバックライト用入力コネクタをそれぞれ別途に設置した場合を示したが、コントロール基板に単一の入力コネクタを設置し、その入力コネクタに映像信号とバックライト信号とが供給されるようにすることも可能である。
（２）上記した実施形態では、表示制御部とＬＥＤ制御部とが同じコントロール基板に設けられた場合を示したが、ＬＥＤ制御部がコントロール基板とは別途に設けられたＬＥＤ制御基板に設けられる構成であってもよい。
（３）上記した実施形態では、２つの液晶表示装置を隣り合う形で連結する連結液晶表示装置を例示したが、個々の液晶表示装置を単独で使用するようにしても構わない。例えば、液晶表示装置に対してＸ軸方向について隣り合う形で障害物が配される設置環境となった場合には、液晶表示装置の姿勢を、着脱口が障害物側とは反対側を向くようにすることで、着脱式ＬＥＤユニットの着脱が阻害されるのを避けることができる。
（４）上記した実施形態では、連結液晶表示装置を構成する２つの液晶表示装置が同一とされる場合を示したが、２つの液晶表示装置の構成部品が全て同一である必要はない。例えば基幹部品（液晶パネル、光学部材、導光板、反射シート、着脱式ＬＥＤユニットなど）を同一とすればコスト低減効果は十分に得られるので、基幹部品以外の周辺部品を異ならせる（非同一とする）ことも可能である。なお、液晶表示装置におけるどの構成部品を共通化させるかは、上記以外にも適宜に変更可能である。
（５）上記した実施形態では、着脱式ＬＥＤユニットを構成するＬＥＤ基板取付部材に対して１枚のＬＥＤ基板が取り付けられる構成を示したが、ＬＥＤ基板取付部材に対して複数枚のＬＥＤ基板が取り付けられる構成であっても構わない。
（６）上記した実施形態では、着脱式ＬＥＤユニットが１つのＬＥＤ基板取付部材を有する場合を示したが、着脱式ＬＥＤユニットが複数のＬＥＤ基板取付部材を有していても構わない。
（７）上記した実施形態では、片側入光タイプのバックライト装置について示したが、両側入光タイプのバックライト装置であっても構わない。その場合、２つの着脱口がバックライト装置における同じ一側面に開口形成される構成となる。
（８）上記した実施形態以外にも、パネル用フレキシブル基板の設置数や配置などは適宜に変更可能である。また、上記した実施形態に記載したバックライト用フレキシブルフラットケーブルに代えてバックライト用フレキシブル基板を用いることも可能である。
（９）上記した実施形態以外にも、バックライト装置に用いる光学シートの具体的な枚数、種類、積層順などは適宜に変更可能である。
（１０）上記した実施形態では、上面発光型のＬＥＤを示したが、側面発光型のＬＥＤを光源として用いることも可能である。また、ＬＥＤ以外の光源（有機ＥＬなど）を用いることも可能である。
（１１）上記した実施形態以外にも、連結液晶表示装置の具体的な用途は適宜に変更可能である。
（１２）上記した実施形態では、表示パネルとして液晶パネルを例示したが、他の種類の表示パネル（ＭＥＭＳ（Micro Electro Mechanical Systems）表示パネルなど）にも本発明は適用可能である。
（１３）上記した実施形態以外にも、液晶表示装置の具体的な用途などは適宜に変更可能である。
【符号の説明】
【００３６】
１０…液晶表示装置（表示装置）、１１…液晶パネル（表示パネル）、１２…バックライト装置（照明装置）、１８Ｂ１…着脱口、２１…着脱式ＬＥＤユニット（着脱式光源）、２７…着脱口カバー、２９…表示制御部、５０…連結液晶表示装置（連結表示装置）
【図１】
2019174715.tif 000003
【図２】
2019174715.tif 000004
【図３】
2019174715.tif 000005
【図４】
2019174715.tif 000006
【図５】
2019174715.tif 000007
【図６】
2019174715.tif 000008
【図７】
2019174715.tif 000009